(57)【要約】【課題】釣竿およびリール本体を保持した状態で操作する際に支障となるコードを不要とし、釣竿の保持スペースを制限することなく、スプール駆動モータに給電することのできる魚釣用電動リールの給電方法を提供すること。【解決手段】釣糸が巻回されるスプールＳを支持したリール本体１２の給電接続部３２に、このスプールＳを回転駆動するスプール駆動モータＭに給電する携帯用電源装置５０の連結部を接続してこの携帯用電源装置５０をリール本体１２で支持し、このリール本体１２に支持された携帯用電源装置５０からスプール駆動モータＭに給電可能とする魚釣用電動リールの給電方法。【選択図】図２
2006087426.tif 000002
【特許請求の範囲】
【請求項１】
釣糸が巻回されるスプールを支持したリール本体の給電接続部に、該スプールを回転駆動するスプール駆動モータに給電する携帯用電源装置の連結部を接続して該携帯用電源装置をリール本体で支持し、該リール本体に支持された携帯用電源装置から前記スプール駆動モータに給電可能とする魚釣用電動リールの給電方法。
【請求項２】
前記給電接続部は、外部電源から延びる給電コードのケーブルコネクタと携帯用電源装置の連結部とに直接接続可能で、外部電源と携帯用電源との選択した電源からスプール駆動モータに給電可能である請求項１に記載の魚釣用電動リールの給電方法。
【請求項３】
前記給電接続部は、前記スプールを支持するスプール軸より前方且つ下方の反ハンドル側側板に設けられ、該給電接続部に連結部を介して接続される携帯用電源装置が、前記給電接続部の下方に配置される請求項１又は２に記載の魚釣用電動リールの給電方法。
【請求項４】
前記携帯用電源装置は、電池部と、該電池を密閉収容するハウジングと、該ハウジングの上部から突出し該ハウジングより柔軟性を有する連結部と、該連結部に設けられリール本体の給電接続部と該連結部との接続外れを防止する結合具とから構成されている請求項１から３のいずれか１つに記載の魚釣用電動リールの給電方法。
【請求項５】
前記携帯用電源装置は、リチウムイオン電池を内蔵する請求項１から４のいずれか１つに記載の魚釣用電動リールの給電方法。
【発明の詳細な説明】
【技術分野】
【０００１】
本発明は、魚釣用電動リールの給電方法に関し、特に、釣糸が巻回されるスプールの駆動用モータに給電するための魚釣用電動リールの給電方法に関する。
【背景技術】
【０００２】
一般に、船釣等の深場あるいは沖合いでの釣には、釣糸が巻回されるスプールを電動モータで駆動する電動リールが多く使用されている。このような電動リールのスプール駆動モータへの給電は、スプールを支えるリール本体に設けた給電接続部に、長い給電コードの一端に設けたケーブルコネクタを接続し、この長い給電コードを介して、遠く離れた外部バッテリから行われている。
【０００３】
このような長い給電コードを介して、魚釣用リールとこれから遠く離れたバッテリとを接続するする場合には、長い給電コード自体が邪魔になることに加え、魚の当たりを待ったり、誘い操作や魚の取込み操作の際に、この長い給電コードで釣竿の動きが制約され、誘い操作や魚の取込み操作等を思い通りに自由に行うことができず、不便であった。
【０００４】
このため、魚釣用リールを取付けた釣竿操作を容易とする種々の給電方法が開発されている。  
このような従来の魚釣用リールの給電方法には、リールベースの一端に固定する中空筒状の把柄部分に電池を収容し、この電池の両極とリール用電動機との間に介在させたスイッチを介して、電池からリール用電動機に給電する方法がある（例えば特許文献１参照）。
【０００５】
また、電動リールの竿尻側で、釣竿にバッテリーケースを取付け、このバッテリーケースに設けた接続部から引き出したコード線を、リール側板に設けたコンセントからモータの制御装置に接続し、巻取り駆動する際に、バッテリーケース内のバッテリーから給電する方法がある（例えば特許文献２および特許文献３参照）。
【０００６】
更に、電動リール本体に、電池ボックスを直接装着し、電池ボックスと電動リール本体との間に給電コードを介在させることなく、給電可能とした方法もある（例えば特許文献４および特許文献５参照）。  
また、外部バッテリ電源を用いる電動巻上げの必要のない浅場で、糸長演算表示機能のみを有するリールとして使用する場合に、電源ケーブルをリール本体の電源レセプタクルから外し、これに代えて、ボタン型乾電池を収容する拡径部にリール本体の電源レセプタクルに装着される狭径部を一体形成したインシュレータと、このインシュレータに取付けられたロックナットとを有するカードリッジ電源ユニットを取り付けて給電する方法がある（例えば特許文献６参照）。
【特許文献１】実開昭４７−３７５８８号公報
【特許文献２】実開昭５−７６２６７号公報
【特許文献３】実開昭５−７６２６８号公報
【特許文献４】特開昭６３−９８３３７号公報
【特許文献５】実公平８−３２６９号公報
【特許文献６】特開平１０−２１５７３７号公報
【発明の開示】
【発明が解決しようとする課題】
【０００７】
上記特許文献１に記載の方法では、中空筒状の把柄部分に電池を収容し、リールベースに一体化した電動リールを、リールベース内に配置した導線で把柄部分内の電池に接続することにより、釣竿のコードレス化を図ることが可能ではあるが、しかし、このようなリールベースおよび把柄部分を取付けるための特別仕様の竿を使用しなければならない。また、多数の電池を収容するために、釣竿自体が大型化する。
【０００８】
また、釣竿にバッテリーケースを取付け、このバッテリーケース内のバッテリーから給電する方法は、特別な構造の電動リールを用いる必要はなく、しかも、バッテリーケースから電動リールまで延設する給電コードは短く形成することが可能ではあるが、しかし、このような携帯用バッテリーケースを装着するための装着部を釣竿に設ける必要があり、この装着部により、使用上の制約を受ける。更に、このようなバッテリーケースを釣竿に装着することにより、竿尻の外側に、装着部とバッテリーケースと短いコードとが突出するため、従来の大きく垂れ下がった長い給電コードのような不具合は解消されるとしても、釣竿とリールとを保持した状態での誘い操作や魚の取込み操作等の魚釣操作を行う際に、手元側の保持スペースが制限され、あるいは、操作中にバッテリーケースやコードが人に接触する等の不具合を生じ易い。
【０００９】
更に、電動リール本体に電池ボックスを直接装着する場合は、従来の長いコードによる不具合は解消されるが、しかし、電池ボックスはどのような電動リールにも用いることができるものではなく、特定の電動リールに限定されいるために、汎用性がなく、しかも、リール本体の外方に突出するため、電動リールが大型化し、操作性に劣ることになる。
【００１０】
また、リール本体の電源レセプタクルにカードリッジ電源ユニットを取り付け可能とした方法では、スプール駆動モータに給電して電動巻上げする場合には、糸長演算表示機能作動専用のカートリッジ電源ユニットをリール本体の電源レセプタクルから取り外し、電源ケーブルおよび接続クリップを介して外部バッテリ電源に接続して使用するため、電源ケーブル及び外部バッテリ電源が邪魔になり、船上において魚に対応した巻上げ操作や合わせ操作等を支障なく容易に行うことができない。又、外部バッテリ電源の使用中に、この外部バッテリ電源の端子から電源ケーブルの接続クリップが外れ易く、電動巻き上げを行う際の安定したスプール駆動モータへの給電が維持し難い。
【００１１】
本発明は、このような事情に基づいてなされたもので、釣竿およびリール本体を保持した状態で操作する際に支障となるコードを不要とし、釣竿の保持スペースを制限することなく、スプール駆動モータに給電して電動巻き上げ操作することのできる魚釣用電動リールの給電方法を提供することを目的とする。
【課題を解決するための手段】
【００１２】
上記目的を達成するため、本発明によると、釣糸が巻回されるスプールを支持したリール本体の給電接続部に、該スプールを回転駆動するスプール駆動モータに給電する携帯用電源装置の連結部を接続して該携帯用電源装置をリール本体で支持し、該リール本体に支持された携帯用電源装置から前記スプール駆動モータに給電可能とする魚釣用電動リールの給電方法が提供される。
【００１３】
前記給電接続部は、外部電源から延びる給電コードのケーブルコネクタと携帯用電源装置の連結部とに直接接続可能で、外部電源と携帯用電源との選択した電源からスプール駆動モータに給電可能とすることができる。
【００１４】
また、前記給電接続部は、前記スプールを支持するスプール軸より前方且つ下方の反ハンドル側側板に設けられ、該給電接続部に連結部を介して接続される携帯用電源装置が、前記給電接続部の下方に配置されることが好ましい。
【００１５】
また、前記携帯用電源装置は、電池部と、該電池を密閉収容するハウジングと、該ハウジングの上部から突出し該ハウジングより柔軟性を有する連結部と、該連結部に設けられリール本体の給電接続部と該連結部との接続外れを防止する結合具とから構成することが好ましい。
【００１６】
特に、前記携帯用電源装置は、リチウムイオン電池を内蔵することが好ましい。
【発明の効果】
【００１７】
この魚釣用電動リールの給電方法によると、携帯用電源装置の連結部をリール本体の給電接続部に接続して一体化した状態でスプール駆動モータに給電して電動巻き上げ操作できるので、従来のような給電ケーブルがなくて魚釣り操作の邪魔になることもなく、釣竿の操作に専念できて魚釣り操作を快適に行える。又、リール本体と共に一体的に携帯用電源装置を取り扱うことができるので、手持ち感覚での上下誘い操作や巻き取り操作が自由且つ容易に行える。更に、使用経過に伴って携帯用電源装置の電力容量が低下した場合には、リール本体の給電接続部から使用済の携帯用電源装置の連結部を取り外した後、スペアとして用意した未使用の携帯用電源装置の連結部を、リール本体の給電接続部に再度取り付ける簡単な作業で、スプール駆動モータに給電する携帯用電源装置の取り替えを行うことができる。
【００１８】
外部電源と携帯用電源装置との選択した電源からスプール駆動モータに給電可能とすることにより、深場釣り等の場合には、長時間の使用（給電）を可能とする大容量の外部電源を使用するようにしたり、あるいは、浅場釣りで手持ち感覚の魚釣り電動操作を行う場合には、携帯用電源装置の連結部をリール本体の給電接続部に接続一体化することで電動巻き上げ操作が可能となるので、対象魚や釣場の状況変化に適合したスプール駆動モータへの給電方向が選択でき、幅広い対応が可能となる。
【００１９】
また、スプールを支持するスプール軸より前方且つ下方の反ハンドル側側板に設けた給電接続部に連結部を介して接続される携帯用電源装置を、給電接続部の下方に配置する場合には、リールと釣竿を握持する保持スペースを携帯用電源装置が邪魔することなく形成でき、リール及び釣竿を保持しながらの魚釣り操作（電動巻き上げ操作や合わせ操作等）を支障なく円滑に行うことができる。
【００２０】
また、携帯用電源装置が、電池部と、該電池を密閉収容するハウジングと、該ハウジングの上部から突出し該ハウジングより柔軟性を有する連結部と、該連結部に設けられリール本体の給電接続部と該連結部との接続外れを防止する結合具とを有する場合には、リール本体の給電接続部に、柔軟性を有する連結部を介して携帯用電源装置が接続一体化されるので、実釣時において、携帯用電源装置のハウジングが他物（船縁、竿掛装置、他のリール等）に当っても、柔軟性を有する連結部で緩衝されるので、携帯用電源装置の電気的接続部（例えば連結部内の導電部、電装部等）、連結部と給電接続部の締結部、給電接続部等への不具合発生を防止でき、安定したスプール駆動モータへの給電が可能となる。
【００２１】
特に、リール本体の給電接続部に接続一体化するスプール駆動モータ給電用の携帯用電源装置が、電力源としてリチウムイオン電池を内蔵する場合には、リール本体の給電接続部と携帯用電源装置の電気的連結部への負荷の軽減を図ることができ、電動巻き上げ操作及び手持ち感覚の魚釣り操作を支障無く安定して行うことができる。
【発明を実施するための最良の形態】
【００２２】
図１から図３は、本発明の好ましい実施形態を示す。  
図１および図２に釣竿８に取付けた状態で示す魚釣用リール１０は、電動リールであり、リール本体１２はフレームの両側に配置した一対の側板１４ａ，１４ｂに、両側板１４ａ，１４ｂ間に架設支持したスプール軸Ｓａを介してスプールＳが回転可能に支持されている。通常と同様に、このスプールＳは、リール本体１２のスプールＳの前方の側板１４ａ，１４ｂ間に図示しないモータケースを介して収容された公知のスプール駆動モータＭ、あるいは、一側に設けたハンドル１６による巻取り操作により形成される駆動力で、図示しない公知の減速機構あるいは動力伝達機構を介してスプールＳが回動されて、釣糸が巻回される。
【００２３】
一方の側板１４ｂの釣糸繰出し側の上部前方には、ハンドル１６と近接した位置で、このハンドルより軸方向内方位置に、スプール駆動モータＭのモータ出力を調節するパワーレバー１８（モータ出力調節体）を取付けてあり、このパワーレバー１８の前後方向の回転操作で、リール本体１２に内蔵のマイクロコンピュータ（制御装置）を通じてスプール駆動モータＭの出力を自由に制御（モータ出力の停止や出力の増減調節）することができる。このパワーレバー１８は、ハンドル１６の回転軸１６ａとほぼ平行でかつ上側前方に配置した回転軸１８ａを中心として回動し、このパワーレバー１８をハンドル１６の巻取方向すなわちスプールＳに釣糸を巻回する方向に回転操作することにより、スプール駆動モータＭの出力を増大し、これと逆方向に回転操作することにより、スプール駆動モータＭの出力を低下させ、あるいは停止させることができる。
【００２４】
本実施形態では、パワーレバー１８の操作により、マイクロコンピュータを通じて、スプール駆動モータＭの停止位置から高出力状態までスプール駆動モータＭの出力を調節し、スプールＳの回転速度、つまり釣糸の巻取り速度を制御することができる。
【００２５】
このリール本体１２の上面の前方部位には、例えば、釣糸の繰出し量（糸長）、棚位置等の種々の制御機能，制御条件等を表示する液晶表示部２０を配置してある。この液晶表示部２０の側方には、棚位置を設定する棚取りボタン２２と、糸長計測値の値をゼロにリセットするリセットボタン２４とを配置してあり、後方には、押込んでいるときにのみスプール駆動モータＭを駆動させ、解放したときに停止して微妙な巻上操作を可能とする寸動ボタン２６を配置してある。
【００２６】
また、リール本体１２の後方部位の両側板１４ａ，１４ｂ間には、ハンドル１６側の側板１４ｂ内に装着したクラッチ機構を作動するクラッチレバー２８が上下方向に移動可能に取り付けられており、このクラッチレバー２８を通じてクラッチ機構を作動し、スプール軸Ｓａに駆動連結するスプール駆動モータＭあるいはハンドル１６で形成される駆動力を伝達しあるいは駆動力を遮断することができる。例えば、クラッチレバー２８を釣竿８側に押し下げると、側板１４ｂ内の適宜の伝達機構により、スプール軸Ｓａをスプール駆動モータＭおよびハンドル１６から分離した状態（スプールフリー状態）とすることができる。そして、このスプールフリー状態でハンドル１６を回転させると、図示しない公知の復帰機構を介して、スプール軸Ｓａが元の状態（巻取状態）に復帰し、スプール軸Ｓａと連結されているスプールＳを、スプール駆動モータＭあるいはハンドル１６が形成する駆動力で回転することができる。符号３０は、スプールフリー状態におけるスプールＳの回転に適度な制動を掛けて過回転を防止する調節ねじを示す。
【００２７】
特に図２及び図３に示すように、リール本体１２のスプールＳを支持するスプール軸Ｓａより前方且つ下方の、ハンドル１６から離隔した反ハンドル側の側板１４ａの下部で、リール本体１２を保持した手と干渉しない位置に、スプール駆動モータＭに電力を供給する給電接続部３２を設けてある。この給電接続部３２は、例えば船の電力源、発電機、大型バッテリ等の外部電源から延びる通常の給電コードのプラグであるケーブルコネクタ（図示しない）を相手方コネクタとして嵌合すると共に、この給電接続部３２を介してリール本体１２内に水が浸入するのを防止する防水シール構造のコネクタで形成してある。
【００２８】
本実施形態の給電接続部３２は、ハンドル軸１６ａ（図１）および釣竿８に対して垂直かつ下方に向けて開口した凹部３６内に、２本のピン形コンタクトを電極端子３４として突出させ、相手方コネクタの先端部を収容するレセプタクルとして形成してある。この給電接続部３２では、これらの電極端子３４は凹部３６内で周部を密封され、凹部３６およびこれらの電極端子３４の周部からリール本体１２内に水等の流体が浸入するのを防止する液密構造に形成され、その先端部の近部で、凹部３６の開口部の周部を、リール本体１２に対して防水構造に形成した口金部３８が囲んでいる。この口金部３８の外周部には雄ねじが形成され、相手方コネクタに設けられた締付けリングの雌ねじと螺合して、これらの接続部を強固な防水構造を維持しつつ強固な一体構造に連結し、この給電接続部３２からリール本体１２内に水が浸入するのを防止すると共に、意に反して相手方コネクタがこの給電接続部３２から外れるのを防止することができる。
【００２９】
この給電接続部３２を使用しない場合、すなわちリール駆動モータを使用しない場合は、この給電接続部３２の口金部３８あるいは適宜部位に柔軟な連結部４０ａを介して取付けた樹脂製キャップ４０により、この口金部３８および電極端子３６が保護される。  
このように形成した給電接続部３２には、通常の給電コードのケーブルコネクタを接続して給電する方法以外にも、例えばリチウムイオン電池等を有する携帯用電源装置５０を給電コードを介することなく、直接接続して魚釣用リールに給電する用法を採用することができる。
【００３０】
給電接続部３２に直接接続される携帯用電源装置５０は、例えば二次電池である４つのリチウムイオン電池５２（電池部）を充放電制御用の制御基板５３と共にハウジング５４（例えば、ポリカーボネイト樹脂、ＡＢＳ樹脂等で形成するのが好ましい）内に密封収容してある。従来の給電コードのプラグと同様なプラグを魚釣用リール１０に連結するための連結部５６は、このハウジング５４の上部から、上記給電接続部３２に連結結合するのに必要な短めの長さとして突出され、この給電接続部３２の凹部３６内に嵌挿する連結部５６はハウジング５４より柔軟性を有する材質で形成されて、全体に防水かつ軽量構造に形成してある。この携帯用電源装置５０は、例えば１００〜３００ｇ程度の重さの軽量構造に形成されるのが好ましい。この携帯用電源装置５０のプラグを構成する連結部５６は、電極端子５８を形成する２本のソケット形コンタクトの周部を樹脂（例えば軟質塩化ビニル樹脂）で囲んで円柱状部６０に別体形成して、ハウジング５４の上部内に抜け止め固定してある。この連結部５６の周部には、給電接続部３２の口金部３８の雄ねじと螺合してこの連結部５６をリール本体１２に固定することのできる締付けリング６２を回転可能に抜け止めした状態で取付けてある。この締付けリング６２は、給電接続部３２から連結部５６が外れるのを防止する結合具として機能する。これにより、連結部５６を給電接続部３２の凹部３６内に嵌合し、締付けリング６２を締付けると、この連結部５６の電極端子５８と給電接続部３２の電極端子３４とが互いに電気的に接合すると共に、連結部５６の円柱状部６０が凹部３６の内部を密封し、給電接続部３２との間を防水構造としつつ、互いに電気的かつ機械的に強固に接続することができる。なお、符号６４は、この連結部５６の保護キャップであり、着脱可能に形成することが好ましい。
【００３１】
このように、携帯用電源装置５０のハウジング５４の上部に突出形成した柔軟性を有する円柱状部６０で構成される連結部５６を、魚釣用リール１０の給電接続部３２に接続して一体化することにより、この携帯用電源装置５０がリール本体１２で直接支えられつつ、この携帯用電源装置５０からスプール駆動モータに給電することができる。携帯用電源装置５０と魚釣用リール１０との間には、給電ケーブルが介挿されないため、このような給電ケーブルが魚釣操作の邪魔になることもなく、したがって、釣竿８を操作する際に給電ケーブルを捌く必要もなく、釣竿８の操作に専念することができる。しかも、この携帯用電源装置５０は、給電接続部３２でのみ魚釣用リール１０に接続され、この魚釣用リール１０と共に動く（手持ち感覚での上下誘い操作や巻取り操作等で魚釣用リール１０を一体的に取り扱いことができる）ことができるため、釣竿８の保持スペースは全く制限されず、魚釣操作を快適に行うことが可能となる。
【００３２】
したがって、上述した魚釣用電動リール１０の給電方法によれば、携帯用電源装置５０の連結部５６をリール本体１２の給電接続部３２に接続して一体化した状態でスプール駆動モータＭに給電して電動巻き上げ操作できるので、従来のような魚釣り操作の邪魔になる給電ケーブルがなく、釣竿８の操作に専念できて魚釣り操作を快適に行うことができる。又、リール本体１２と共に一体的に携帯用電源装置５０を取り扱うことができるので、魚に対する上下誘い操作や釣糸の巻き取り操作が手持ち感覚で自由且つ容易に行うことができる。
【００３３】
スプール駆動モータＭには、外部電源と携帯用電源装置５０との選択した一方の電源から給電可能とすることにより、深場釣り等の場合には、長時間の使用（給電）を可能とする大容量の外部電源を使用するようにしたり、あるいは、浅場釣りで手持ち感覚の魚釣り電動操作を行う場合には、携帯用電源装置５０の連結部５６をリール本体１２の給電接続部３２に接続一体化することで電動巻き上げ操作が可能となるので、対象魚や釣場の状況変化に適合したスプール駆動モータＭへの給電方向が選択でき、幅広い対応が可能となる。
【００３４】
また、スプールＳを支持するスプール軸Ｓａより前方且つ下方の反ハンドル側側板１４ａに設けた給電接続部３２に連結部５６を介して接続される携帯用電源装置５０を、給電接続部３２の下方に配置する場合には、リール１０と釣竿８を握持する保持スペースＥ（図２に二点鎖線で範囲を示すスペース）を携帯用電源装置５０が邪魔することなく形成でき、リール１０及び釣竿８を保持しながらの魚釣り操作（電動巻き上げ操作や合わせ操作等）を支障なく円滑に行うことができる。
【００３５】
特に、リール本体１２の給電接続部３２に接続一体化するスプール駆動モータ給電用の携帯用電源装置５０が、電力源としてリチウムイオン電池５２を内蔵することにより、リール本体１２の給電接続部３２と携帯用電源装置５０の電気的連結部である電極端子５８とへの負荷の軽減を図ることができ、電動巻き上げ操作及び手持ち感覚の魚釣り操作を支障無く安定して行うことができる。
【００３６】
携帯用電源装置５０の電気エネルギが消耗した場合すなわち電力容量が低下した場合には、リール本体１２の給電接続部３２から使用済の携帯用電源装置５０の連結部５６を取り外した後、スペアとして用意した充電済みの新しい携帯用電源装置５０の連結部５６を、リール本体１２の給電接続部３２に再度取り付けて、未使用の新しいと簡単な作業で交換し、長時間にわたる魚釣用リール１０の作動も可能である。このような携帯用電源装置５０は、極めて軽量であるため、予め複数本準備しておき、予備の携帯用電源装置５０をポケットに入れるなどして身の回りにおいておくだけで、魚釣操作中でも、極めて簡単に交換することができる。また、その取り替え作業も極めて簡単で容易かつ迅速に行うことができる。
【００３７】
尚、給電接続部３２に装着される連結部５６は、金属製以外に、多少柔軟性を有する部材で形成してもよい。このように連結部５６を柔軟性を有する部材で形成することにより、リール本体１２の給電接続部３２に、柔軟性を有する連結部５６を介して携帯用電源装置５０が接続一体化されるので、実釣時において、携帯用電源装置５０のハウジングが他物（船縁、竿掛装置、他のリール等）に当っても、柔軟性を有する連結部５６で緩衝されるので、携帯用電源装置５０の電気的接続部（例えば連結部内の導電部、電装部等）、連結部と給電接続部の締結部、給電接続部等３２への不具合発生を防止でき、安定したスプール駆動モータへの給電が可能となる。また、ハウジング５４の上部からのプラグ５６の突出量Ｔは、２０〜４０ｍｍ程度が好ましい。連結部５６が柔軟に形成された場合であっても、この連結部５６に設けられた結合具としての締付リング６２が、リール本体１２の給電接続部３２と連結部５６との接続外れを防止し、スプール駆動モータＭに対する安定した給電を確保する。
【００３８】
図４および図５は、リチウムイオン電池５２を横置きに収容した携帯用電源装置の変形例を示す。図４に示す携帯用電源装置５０Ａは、制御基板５３を収容する端部側と連結部５６とを変更することなく、ハウジング５４Ａのリチウムイオン電池５２を収容する釣竿８の下方側に配置される本体部分のみを釣竿８とほぼ平行に横置き配置される構造に形成してある。また、図５に示す携帯用電源装置５０Ｂは、ハウジング５４Ｂの制御基板５３側端部連結部５６との間にアングル部５５を設け、ハウジング５４Ｂのリチウムイオン電池５２を収容する釣竿８の下方側に配置される本体部分を魚釣用リール１０よりも釣糸繰出し方向の先端側で釣竿８とほぼ平行な横置き配置される構造に形成してある。いずれの携帯用電源装置５０Ａ，５０Ｂも、その重心位置が魚釣用リール１０に近接し、釣竿１０からハウジング５４Ａ，５０Ｂが大きく突出することはない。
【００３９】
なお、締付けリング６２を強固に締付けることにより、魚釣用リール１０に対してハウジング５４Ａ，５４Ｂの位置をどのような位置に配置した場合であっても、この携帯用電源装置５０Ａ，５０Ｂを強固に保持し、その回動を阻止することが可能である。このため、釣竿８の操作を阻害することもない。
【００４０】
図６および図７は、給電接続部３２Ａが僅かに側方に向けて傾斜した状態で配置された変形例を示す。  
このように、給電接続部３２Ａの開口方向あるいはプラグ接続方向が、釣竿８から離隔する方向に向いている場合であっても、図６に示すように通常の携帯用電源装置５０を接続するだけでなく、図７に示すようにハウジング５４Ｂと連結部５６との間にアングル部５５を設けた携帯用電源装置５０Ｂを用いることができる。携帯用電源装置５０Ｂを用いる場合には、釣竿８の下側にハウジング部５４Ｂを配置した状態で固定することにより、この携帯用電源装置５０Ｂが側方に大きく突出することもなく、その重心が魚釣用リール１０の下側に集約され、安定した魚釣操作が可能となる。なお、このような給電接続部３２Ａについても、図４に示す携帯用電源装置５０Ａを用いることが可能なことは明らかである。
【００４１】
以上、本発明の好ましい実施形態について説明してきたが、本発明は、前記実施形態に限定されず、その要旨を逸脱しない範囲で種々変形実施できることは言うまでもない。例えば、リール本体の給電接続部との接続外れを防止する結合具は、連結部５６に設けた締付けリング６２を口金部３８に設けた雄ねじに螺合することに代え、例えば差込式等種々の固定手段を用いることができる。又、締付けリング６２の形状を円筒状に形成して、連結部５６の基部及びハウジング５４の上部を保護するようにカバーしたり、又、締付けリング６２の外周に樹脂カバーを被着して操作性を向上したり、あるいは、ハウジング５４の外周に回転可能に全体を覆う円筒体に形成し、この円筒体を手で回転操作することで、給電接続部３２に対して抜け止め固定することもできる。
【図面の簡単な説明】
【００４２】
【図１】本発明の好ましい実施形態による魚釣用リールの給電方法を示す説明図。
【図２】図１の魚釣用リールを側方から見た状態の部分断面図。
【図３】図１の魚釣用リールから携帯用電源装置を分離した状態の一部を断面で示す説明図。
【図４】変形例による携帯用電源装置を魚釣用リールに取付けた状態の図２と同様な説明図。
【図５】更に他の変形例による携帯用電源装置を魚釣用リールに取付けた状態の図４と同様な説明図。
【図６】給電接続部が傾斜した状態で設けられた魚釣用リールに携帯用電源装置を取付けた状態の説明図。
【図７】図６と同様な魚釣用リールに図５に示す携帯用電源装置を取付けた状態の説明図。
【符号の説明】
【００４３】
１０…魚釣用リール、１２…リール本体、３２，３２Ａ…給電接続部、５０，５０Ａ，５０Ｂ…携帯用電源装置。
【図１】
2006087426.tif 000003
【図２】
2006087426.tif 000004
【図３】
2006087426.tif 000005
【図４】
2006087426.tif 000006
【図５】
2006087426.tif 000007
【図６】
2006087426.tif 000008
【図７】
2006087426.tif 000009